(57)【要約】  周波数発生回路は、入力周波数を供給する水晶発振器（１０）と、位相ロックループ回路（２８）と、位相ロックループ回路からの出力を分周するプログラマブル分周器（４２）とを含む。周波数発生回路は、ＤＡＢおよびＦＭチューナ（５０，６０，７０）のそれぞれに供給するための複数の異なる出力周波数を発生させる。周波数発生回路は、ベースバンド回路（１４）とともに、電波受信器（１、２）において用いることができる。同じ発振器と位相ロックループ回路とを用いてベースバンド回路を駆動する。
2009524322.tif 000002
【特許請求の範囲】
【請求項１】
入力周波数を受信する位相ロックループ回路と、該位相ロックループ回路からの出力を分周するプログラマブル分周器とを含み、複数の異なる出力周波数を発生して複数のチューナに供給するように構成可能であることを特徴とする周波数発生回路。
【請求項２】
前記複数の異なる出力周波数は、単一のチップ上の複数のチューナに供給するためのものであることを特徴とする請求項１に記載の周波数発生回路。
【請求項３】
周波数発生回路の一部は前記チップ上に設けられることを特徴とする請求項２に記載の周波数発生回路。
【請求項４】
１つ以上の出力周波数を発生してＤＡＢＬバンドチューナに供給するように構成可能であることを特徴とする請求項１〜３のいずれか１項に記載の周波数発生回路。
【請求項５】
１つ以上の出力周波数を発生してＤＡＢモードＩＩＩチューナに供給するように構成可能であることを特徴とする請求項１〜３のいずれか１項に記載の周波数発生回路。
【請求項６】
１つ以上の出力周波数を発生してＦＭモードＩＩチューナに供給するように構成可能であることを特徴とする請求項１〜３のいずれか１項に記載の周波数発生回路。
【請求項７】
前記位相ロックループ回路の出力は複数の分周器に連結され、該複数の分周器はプログラマブル分周器を含むことを特徴とする請求項１〜６のいずれか１項に記載の周波数発生回路。
【請求項８】
前記入力周波数を前記位相ロックループ回路に供給する水晶発振器をさらに含むことを特徴とする請求項１〜７のいずれか１項に記載の周波数発生回路。
【請求項９】
請求項１〜８のいずれか１項に記載の周波数発生回路と、１つ以上のチューナと、を含むことを特徴とする電波受信器。
【請求項１０】
前記チューナは単一のチップ上に設けられることを特徴とする請求項９に記載の電波受信器。
【請求項１１】
前記周波数発生回路の一部も、前記チップ上に設けられることを特徴とする請求項１０に記載の電波受信器。
【請求項１２】
前記チューナは、１つ以上のＤＡＢ帯域チューナを含むことを特徴とする請求項９〜１１のいずれか１項に記載の電波受信器。
【請求項１３】
前記ＤＡＢ帯域チューナは、ＤＡＢＬバンドチューナおよび／またはＤＡＢ帯域ＩＩＩチューナを含むことを特徴とする請求項１２に記載の電波受信器。
【請求項１４】
前記チューナは、１つ以上のＦＭ帯域チューナを含むことを特徴とする請求項９〜１１のいずれか１項に記載の電波受信器。
【請求項１５】
ＤＡＢ／ＦＭベースバンド回路をさらに含むことを特徴とする請求項９〜１４のいずれか１項に記載の電波受信器。
【請求項１６】
前記ベースバンド回路のクロック周波数は、水晶発振器によって供給されることを特徴とする請求項１５に記載の電波受信器。
【請求項１７】
前記水晶発振器は同調可能であり、前記ベースバンド回路は前記水晶発振器を調整する手段を有することを特徴とする請求項１６に記載の電波受信器。
【請求項１８】
少なくとも１つのチューナと、ベースバンド回路と、周波数発生回路と、を含む電波受信器であって、該周波数発生回路は、同調水晶発振器と、位相ロックループ回路と、該位相ロックループ回路からの出力を分周するプログラマブル分周器とを含み、該周波数発生回路は、複数の異なる出力周波数を発生して少なくとも１つのチューナに供給するとともにクロック周波数を該ベースバンド回路に供給するようにも構成可能であることを特徴とする電波受信器。
【請求項１９】
前記ベースバンド回路は、前記同調水晶発振器を調整する手段を含むことを特徴とする請求項１８に記載の電波受信器。
【請求項２０】
前記少なくとも１つのチューナは、単一のチップ上に設けられることを特徴とする請求項１８または１９に記載の電波受信器。
【請求項２１】
前記周波数発生回路の一部も、前記チップ上に設けられることを特徴とする請求項２０に記載の電波受信器。
【請求項２２】
前記少なくとも１つのチューナは、少なくとも１つのＤＡＢ帯域チューナを含むことを特徴とする請求項１８〜２１のいずれか１項に記載の電波受信器。
【請求項２３】
前記少なくとも１つのＤＡＢ帯域チューナは、ＤＡＢＬバンドチューナおよび／またはＤＡＢ帯域ＩＩＩチューナを含むことを特徴とする請求項２２に記載の電波受信器。
【請求項２４】
前記少なくとも１つのチューナは、少なくとも１つのＦＭ帯域チューナをも含むことを特徴とする請求項１８〜２１のいずれか１項に記載の電波受信器。
【発明の詳細な説明】
【発明の詳細な説明】
【０００１】
発明の分野
本発明は、周波数発生回路に関し、特に単一の入力周波数から多数の周波数を発生させる周波数発生回路に関する。
【０００２】
発明の背景
多くの電子装置やシステムでは、多数の周波数帯域において無線信号を送受信する必要がある。たとえば、携帯電話では２つあるいは３つの帯域で送受信する必要がある。デジタルオーディオブロードキャスティング（ＤＡＢ）電波受信器の場合、ＤＡＢのバンドＬ（１４５２〜１４９２ＭＨｚ）上の無線信号、ＤＡＢ帯域ＩＩＩ（１７４〜２４０ＭＨｚ）上の無線信号、さらにＦＭ帯域（６５．８〜１０８ＭＨｚ）上の無線信号を受信可能なことが望ましい。各受信帯域について、同じシリコンチップ上に集積化されるが、典型的にモジュール設計であるチューナ部分およびベースバンド部分の両方を駆動するために、多数の水晶発振器および／または電圧制御発振器（ＶＣＯ）が必要である。そのような受信器には、正確に機能するために、水晶発振器、ＶＣＯおよびクロック周波数の複雑な集合が必要である。
【０００３】
発明の要約
本発明の目的は、マルチバンド電波受信器に必要な水晶発振器および／またはＶＣＯの数を減らすことである。特に、単一の水晶発振器および単一のＶＣＯのみを用いるマルチバンド電波受信器を提供することを目的とする。
【０００４】
本発明の第１の態様によれば、入力周波数を受信する位相ロックループ回路と、該位相ロックループ回路からの出力を分周するプログラマブル分周器とを含み、複数の異なる出力周波数を発生して複数のチューナに供給するように構成可能な周波数発生回路が提供される。
【０００５】
本発明の周波数発生回路では、複数の異なる出力周波数を、単一の入力周波数から発生させて位相ロックループ回路に供給することが可能である。単一の水晶発振器および位相ロックループ回路が出力周波数を発生させることが優れている。
【０００６】
好適に、前記複数の異なる出力周波数は、単一のチップ上の複数のチューナに供給するためのものである。さらに好適に、周波数発生回路の一部は同じチップ上に設けられる。
【０００７】
１つ以上の出力周波数を発生して、ＤＡＢＬバンドチューナ、ＤＡＢ帯域ＩＩＩチューナおよびＦＭモードＩＩチューナに供給するように構成してもよい。
【０００８】
好適に、前記位相ロックループ回路の出力は複数の分周器に連結され、該複数の分周器はプログラマブル分周器を含む。
【０００９】
電波受信器は、前記周波数発生回路と、１つ以上のチューナと、を含んでもよい。好適に、前記チューナが単一のチップ上に設けられる。さらに好適に、前記周波数発生回路の一部は同じチップ上に設けられる。
【００１０】
前記チューナは、１つ以上のＤＡＢ帯域チューナを含んでもよい。好適に、前記ＤＡＢ帯域チューナは、ＤＡＢＬバンドチューナおよび／またはＤＡＢ帯域ＩＩＩチューナを含む。前記チューナは、１つ以上のＦＭ帯域チューナを含んでもよい。
【００１１】
好適に、電波受信器は、ＤＡＢ／ＦＭベースバンド回路をさらに含む。さらに好適に、前記ベースバンド回路のクロック周波数は、水晶発振器によって供給される。
【００１２】
一実施形態において、前記水晶発振器は同調可能であり、前記ベースバンド回路は前記水晶発振器を調整する手段を有する。
【００１３】
本発明の第２の態様によれば、少なくとも１つのチューナと、ベースバンド回路と、周波数発生回路と、を含む電波受信器であって、該周波数発生回路は、同調水晶発振器と、位相ロックループ回路と、該位相ロックループ回路からの出力を分周するプログラマブル分周器とを含み、該周波数発生回路は、複数の異なる出力周波数を発生して少なくとも１つのチューナに供給するとともにクロック周波数を該ベースバンド回路に供給するようにも構成可能である電波受信器が提供される。好適に、前記ベースバンド回路は、前記同調水晶発振器を調整する手段を含む。単一の周波数発生回路を用いて、チューナ用の出力周波数およびベースバンド回路用のクロック周波数を発生可能であることが優れている。
【００１４】
前記少なくとも１つのチューナは、単一のチップ上に設けられてもよい。好適に、前記周波数発生回路の一部も、同じチップ上に設けられる。
【００１５】
前記少なくとも１つのチューナは、少なくとも１つのＤＡＢ帯域チューナを含んでもよい。好適に、前記少なくとも１つのＤＡＢ帯域チューナは、ＤＡＢＬバンドチューナおよび／またはＤＡＢ帯域ＩＩＩチューナを含む。前記少なくとも１つのチューナは、少なくとも１つのＦＭ帯域チューナをも含んでもよい。
【００１６】
発明の実施形態の詳細な説明
本発明の好適な実施形態を以下の図面を参照して説明する。
【００１７】
電波受信器に用いることを意図した周波数発生回路に基づいて本発明を説明するが、本発明の周波数発生回路は、この用途に、原理的に限定されるものではない。
【００１８】
図１を参照すると、ベースバンド回路１および周波数発生回路２は、電波受信器の一部を構成する。複数の異なる搬送周波数、たとえば、ＤＡＢＬバンドモード、ＤＡＢ帯域ＩＩＩモードおよびＦＭモードＩＩで、受信器は無線信号を受信可能である。図２、図３および図４は、これらのモードのそれぞれに用いる受信器のチューナ回路５０，６０，７０を示す。チューナ回路によって、ユーザは、各モードにおいて所望の周波数（チャンネル）に同調可能である。受信器がＤＡＢ／ＦＭ帯域を受信するように、周波数発生回路２を用いて、局部発振器の周波数ＬＯ１、ＬＯ２、ＬＯ３およびＬＯ４を発生させる。周波数ＬＯ１、ＬＯ２、ＬＯ３およびＬＯ４は互いに異なる周波数である。局部発振器の周波数ＬＯ１，ＬＯ２，ＬＯ３，ＬＯ４は、ＤＡＢＬバンドモード、ＤＡＢ帯域ＩＩＩモードおよびＦＭモードＩＩ用の同調周波数として、チューナ回路５０，６０，７０に供給される。これについて以下にさらに詳しく説明する。便宜上、チューナ回路５０，６０，７０と周波数発生回路２のほとんどの部品は、単一のチップ上に設けられる。ベースバンド１の構成に応じて、ＤＡＢ／ＦＭベースバンドおよび／またはＤＡＢ／ＦＭ復調器／復号器回路を用いることによって、ＤＡＢモードとＦＭモードとの両方について同じベースバンド回路１を用いることができる。
【００１９】
必要な周波数の配列を発生させるために、水晶発振器１０は最初に入力信号を発生する。図１の実施形態において、水晶発振器１０は、２４．５７６ＭＨｚの周波数で入力信号を発生する。この信号をクロックバッファ１２に送信する。クロックバッファ１２は、ベースバンドＬＳＩ（大規模集積回路）に対してチップの外部にあり、クロック信号を駆動してベースバンド回路１４用の２４．５７６ＭＨｚのクロック周波数を供給する。信号は、別のバッファ（図示せず）および分周器１６にも送信されてオーディオデジタル−アナログ変換器（ＤＡＣ）１８用のクロック周波数、たとえば、分周器１６が周波数を２分周すれば１２．２８８ＭＨｚのクロック周波数を供給する。また、さらに別のバッファ（図示せず）および分周器２０に送信されてアナログ−デジタル変換器（ＡＤＣ）２２用の別のクロック周波数、たとえば、分周器２０が周波数を３分周すれば８．１９２ＭＨｚのクロック周波数を供給する。オーディオＤＡＣ１８は最終オーディオ出力信号を生成し、これによりユーザは、搬送信号上で送信される選択された無線周波数を聞くことが可能になる。
【００２０】
発振器１０からの信号は、ここで説明する特定の実施形態のための分周器回路２４にも送信される。分周器回路２４は、信号周波数を３分周して８．１９２ＭＨｚの周波数を有する信号を生成する。ここで説明する特定の実施形態のための別の分周器２６でこの信号をさらに分周する。分周器２６は、信号周波数を４分周して２．０４８ＭＨｚの周波数である局部発振器の出力周波数ＬＯ３を生成する。局部発振器の周波数ＬＯ３が用いられて、図２および図３を参照して後述されるように、ＤＡＢＬバンドモードおよびＤＡＢ帯域ＩＩＩモードにおけるＡＤＣおよびベースバンドへの入力用に必要な２．０４８ＭＨｚの出力中間周波数（ＩＦ）を発生させる。
【００２１】
分周器２４から出力された８．１９２ＭＨｚの信号は、位相ロックループ（ＰＬＬ）回路２８にも供給される。ＰＬＬ回路２８は、位相検出器（ＰＦＤ）３０および電荷ポンプ（ＣＰ）３１、フィルタ３２、および電圧制御発振器（ＶＣＯ）３４を備える。分周器３６およびクロックパルスカウンタ３８も、ＰＬＬ回路２８中に設けられる。分周器３６は、その入力として、電圧制御発振器３４からの出力を受信する。分周器３６の出力は、位相検出器３０への入力として供給される。電波受信器に関する好適な実施形態において、ＰＬＬ回路２８は約１．６〜２ＧＨｚの周波数を有する信号を出力することが必要である。必要な周波数は、ＤＡＢＬバンド、ＤＡＢ帯域ＩＩＩ、あるいはＦＭモードＩＩが要求されて選択されたチャネル上にあるかどうかに応じて変化する（ＰＬＬ回路２８からの出力の必要な周波数範囲の詳細は、一実施形態について、以下の表１に与えられる）。分周器３６およびクロックパルスカウンタ３８は、協働して電圧制御発振器３４からの出力信号を変動量ｎ＋Δｎで分周可能なように構成される。ここで、ｎは整数であり、Δｎは任意の分周量である。Δｎ＝０の場合、カウンタ３８は不要であり、整数ｎで分周される。Δｎがゼロでない場合、カウンタ３８を分周器３６と併用して効果的に分周を行う。
【００２２】
ＶＣＯ３４は、本実施形態において、約１．６〜約２ＧＨｚの周波数を有する周期的な出力信号を発生させる。位相検出器３０および電荷ポンプ３１は、水晶発振器からの入力信号で電圧制御発振器３４からの出力信号を位相固定するために、電圧制御発振器３４を減速あるいは増速させるように動作可能である。フィルタ３２は、電荷ポンプの制御下で、ＶＣＯ３４用のＤＣ制御電圧を発生させるために設けられる。そのため、ＰＬＬ回路２８からの出力は、安定しており、精密に規定される。
【００２３】
本発明によれば、ＶＣＯ３４からの信号出力はプログラマブル分周器４２に供給される。ここで、「プログラマブル分周器」という用語は、動作中に分周比が変化するように制御（プログラム）できる分周比を有する分周器を意味する。このように、プログラマブル分周器の分周比を変えることにより、すなわち、たとえ周波数発生回路が単一の水晶発振器１０および単一の位相ロックループ回路２８のみを備えていたとしても、プログラマブル分周器４２の分周比を好適に変化させることによって、周波数発生回路から２つ以上の出力周波数を得ることが可能である。
【００２４】
プログラマブル分周器４２は、任意の好適な方法で実施してもよい。たとえば、プログラマブル分周器４２を、必要に応じてスイッチをオンまたはオフする複数の固定比の分周器として実施してもよい。プログラマブル分周器４２は、同時係属中の英国特許出願番号第０６０４２６３．４号に記載されるように、実施してもよい。該英国特許出願の内容はここに参照によって組み込まれる。
【００２５】
特に好適な実施形態において、プログラマブル分周器４２からの出力は、互いに異なる分周比を有する２つ（あるいはそれより多くの）分周器に供給される。これによって、周波数発生回路から得られる出力周波数の数がさらに増加する。
【００２６】
図１の実施形態において、ＶＣＯ３４からの信号出力は第１の分周器４０に供給される。第１の分周器４０は信号周波数を２分周し、（約１．９４〜約２ＧＨｚの範囲の周波数を有するＶＣＯ出力について）９６８．５４４ＭＨｚ〜９９４．１２２７ＭＨｚの範囲の周波数である局部発振器の周波数ＬＯ１を生成する。
【００２７】
電圧制御発振器３４からの１．６ＧＨｚ〜２ＧＨｚの出力信号は、プログラマブル分周器４２にも供給される。プログラマブル分周器４２からの出力信号は、第２の分周器４４と第３の分周器４６とに送信される。プログラマブル分周器４２は、信号の周波数をＮ分周できる。Ｎは、動作中に制御されて、２つ以上の値のうちの１つを取ることができる。本実施形態において、プログラマブル分周器４２を制御して信号の周波数をＮ分周できる。ここで、異なる各モードにおいて５０％デューティサイクルの状態で、Ｎは２、４、または５である。
【００２８】
局部発振器の周波数ＬＯ２は、第２の分周器４４によって生成される。第２の分周器４４は、その入力として、プログラマブル分周器４２からの出力を取得する。プログラマブル分周器４２がＮ＝２またはＮ＝４，５で分周しかつ第２の分周器４４が２分周する実施形態において、プログラマブル分周器４２がＮ＝２で分周すると、第２の分周器は、４８４．２７２ＭＨｚ〜４９７．０６１３ＭＨｚの周波数範囲を有する出力を生成する。また、プログラマブル分周器４２がＮ＝４または５で分周すると、第２の分周器は、１７４．９２８ＭＨｚ〜２３９．２ＭＨｚの周波数範囲を有する出力を生成する。
【００２９】
局部発振器の周波数ＬＯ１およびＬＯ２ならびに局部発振器の周波数ＬＯ３は、ＤＡＢＬバンドモードにおいて同調周波数として用いられる。局部発振器の周波数ＬＯ２および局部発振器の周波数ＬＯ３は、ＤＡＢ帯域ＩＩＩにおいて同調周波数として用いられる。
【００３０】
さらに、局部発振器の周波数ＬＯ４が第３の分周器４６から出力される。分周器４６は、その入力として、プログラマブル分周器４２からの出力を取得する。プログラマブル分周器４２がＮ＝２またはＮ＝４，５で分周しかつ第３の分周器４６が４分周する図１の実施形態において、プログラマブル分周器４２がＮ＝４または５で分周するようにすると、第３の分周器４６は、８０．１３６ＭＨｚ−１２２．３３６ＭＨｚの範囲の周波数を有する出力を生成する。局部発振器の周波数ＬＯ４は、ＦＭモードＩＩにおいて同調周波数として用いられる。
【００３１】
図２を参照すると、局部発振器の周波数ＬＯ１，ＬＯ２，ＬＯ３は、ＤＡＢＬバンドチューナ５０に供給されて、電波受信器のアンテナからの入力信号（ＲＦｉｎ）と混合される。チューナ５０は、ベースバンド回路１のＡＤＣ２２に入力可能な出力信号ＩＦ３を生成する。
【００３２】
図２は、左から右へ、ＤＡＢＬバンド同調用の信号経路を示す。１４５２〜１４９２ＭＨｚの周波数を有する入力無線信号ＲＦｉｎは、可変ゲイン低雑音増幅器（ＬＮＡ）５２に送信される。この信号は、局部発振器の周波数ＬＯ１とともに、ミキサＭ１に送信される。ミキサＭ１の出力での第１のＩＦが固定されておらず約４８４〜４９７ＭＨｚからスライドするスライディングＩＦ構造が用いられる。ここで、局部発振器の周波数ＬＯ２が局部発振器の周波数ＬＯ１の１／Ｎに等しく（すなわち、ＬＯ２＝１／Ｎ・ＬＯ１）、またＮ＝２かつ信号Ｒｆｉｎの周波数が局部発振器の周波数ＬＯ１の（３／２）に等しい（すなわち、ｆＲｆｉｎ＝（３／２）・ＬＯ１）。ミキサＭ１は、ローサイドインジェクションミキシング（low side injection mixing）によって、低周波数の局部発振器の周波数ＬＯ１を用いて、フィルタＦ７を経由して、入力Ｌバンド（ＲＦｉｎ）信号（約１４５２〜１４９２ＭＨｚ）を可変中間周波数（ＩＦ１）（約４８３〜４９７ＭＨｚ）に変換する。次に、ＩＦ１信号は、局部発振器の周波数ＬＯ２とともに第２のミキサＭ２に供給されて、局部発振器の周波数ＬＯ２によって第２の中間周波数ＩＦ２＝０Ｈｚに変換される。次に、このベースバンド信号は、フィルタＦ６と可変ゲイン増幅器５４に送信される。局部発振器の周波数ＬＯ３を供給することによって信号を２．０４８ＭＨｚで出力信号ＩＦ３にアップコンバートするために、さらなるミキサＭ５が設けられる。ＶＣＯの必要な周波数範囲は、１９３７．０８８〜１９８８．２４５３ＭＨｚである。
【００３３】
図３を参照すると、局部発振器の周波数ＬＯ２およびＬＯ３は、ＤＡＢ帯域ＩＩＩチューナ６０に供給されて、電波受信器のアンテナからの入力信号ＲＦｉｎと混合される。チューナ６０は、２．０４８ＭＨｚの周波数で、出力信号ＩＦ３を生成する。出力信号ＩＦ３は、ベースバンド回路１のＡＤＣ２２に入力可能である。
【００３４】
図３は、左から右へ、ＤＡＢ帯域ＩＩＩ同調用の信号経路を示す。１７４〜２４０ＭＨｚの範囲の周波数を有する入力信号ＲＦｉｎは、可変ゲインＬＮＡ６２に送信される。この信号はミキサＭ２に供給される。ミキサＭ２では、局部発振器の周波数ＬＯ２と混合して、中間周波数ＩＦ２に直接変換する（すなわち、ｆＲＦｉｎ＝ＬＯ２およびＮ＝４，５）。次に、このベースバンド信号をフィルタＦ６と可変ゲイン増幅器６４とに送信する。ミキサＭ５中で局部発振器の周波数ＬＯ３と混合することによって、０Ｈｚで必要な信号を２．０４８ＭＨｚのＩＦ３にアップコンバートする。ＶＣＯの必要な周波数範囲は１．６０８５７６〜１．９９３６ＧＨｚである。チューナ６０は、ベースバンド回路１のＡＤＣ２２に入力可能な出力信号ＩＦ３を生成する。
【００３５】
図４を参照すると、局部発振器の周波数ＬＯ４は、ＦＭ帯域ＩＩチューナ７０に供給されて、電波受信器のアンテナからの入力信号ＲＦｉｎと混合される。チューナ７０は、１４．３３６ＭＨｚの周波数で、出力信号ＩＦ４を生成する。出力信号ＩＦ４は、ベースバンド回路１のＡＤＣ２２に入力可能である。同じベースバンド回路１を、それがＦＭ復調にも対応していれば、ＤＡＢ用として用いることができる。
【００３６】
図４は、左から右へ、ＦＭ帯域ＩＩ同調用の信号経路を示す。ＦＭチューナは、１４．３３６ＭＨｚでＩＦ出力ＩＦ４を有するスーパーヘテロダインチューナである。入力ＲＦｉｎ信号は、６５．８〜１０８ＭＨｚの周波数範囲である。次に、ＲＦ信号は、可変ＬＮＡ７２を経由してミキサＭ６に供給される。ここで、信号は、局部発振器の周波数ＬＯ４（この場合、Ｎ＝４，５）と混合される。次に、信号は、外部のタンク回路に送信されて、ＡＤＣ２２で必要な信号中にまぎれた周波数の不必要な信号を濾波する。また、信号は、別の可変ゲイン増幅器７６にも送信される。ＶＣＯの必要な周波数範囲は、１６２９．３７６〜１９５７．３７６ＭＨｚである。
【００３７】
図２、図３および図４のそれぞれは、実際の信号経路とＩ／Ｑ信号経路を示し、後者は太字の矢印により表されている。
ＬＯ１，ＬＯ２，ＬＯ３,ＬＯ４に対する周波数発生を、以下の表１にまとめる。
【００３８】
【表１】
2009524322.tif 000003
【００３９】
ＰＬＬ回路２８からの出力の選択された周波数範囲は、目標の局部発振器の周波数と実際の分周比とに基づくものである。表１の実施形態において、ＰＬＬ回路２８からの出力は、少なくとも１．６〜２ＧＨｚの周波数範囲をカバーする必要があるので、本実施形態では、ＰＬＬ出力の周波数範囲は、一部の局部発振器の周波数（たとえば、局部発振器の周波数Ｌ０１）に必要なものよりも大きい。
【００４０】
本発明の実施形態は、前述のように、多数のＤＡＢおよび／またはＦＭ受信器とともに用いるべき、単一の水晶発振器１０およびＰＬＬ回路２８を提供する。すべての必要な回路を、既存のＤＡＢデジタルベースバンドＬＳＩとともに用いることが可能ではあるが高価な３８ＭＨｚのＩＦチャネル選択ＳＡＷ（弾性表面波）フィルタの必要がない、単一のチップ上に設けることができる。チューナ回路および周波数発生回路２（水晶発振器１０とＰＬＬループフィルタ３２を除く）の回路を、単一のチップ上に設けることができる。ＤＡＢとＦＭＩＦとの両方の出力を、８ビットのＡＤＣに直接接続して、８．１９２ＭＨｚでサンプリングすることが可能である。さらに、ＤＡＢベースバンド回路とチューナ回路との両方に信号を供給するために、単一の水晶発振器１０を使用できる。
【００４１】
ここに説明した実施形態は例示目的のみであり、本発明の範囲内において、これらの実施形態について種々の変形例が可能であることが理解できるであろう。
【図面の簡単な説明】
【００４２】
【図１】周波数発生部品およびベースバンド部品を有する局部発振器の発生回路を概略的に示す。
【図２】ＤＡＢＬバンドモードチューナを示す。
【図３】ＤＡＢ帯域ＩＩＩモードチューナを示す。
【図４】ＦＭ帯域ＩＩモードチューナを示す。
【図１】
2009524322.tif 000004
【図２】
2009524322.tif 000005
【図３】
2009524322.tif 000006
【図４】
2009524322.tif 000007
【国際調査報告】
2009524322.tif 000008
2009524322.tif 000009